(57)【要約】【課題】  本発明は、障子の開閉の際、障子を所定の位置で外れることなく確実に止めることのできる引戸の戸当たり構造を提供することにある。【解決手段】  障子１と、上部レール５と、下部レール６とを備えており、上部レール５と下部レール６のレール溝６ａが対向する位置に、上部ストッパー１１と下部ストッパー１６を取り付け、少なくとも障子１の下部ストッパー１６が当接する箇所に、下部ストッパー受け２０を設けることを特徴とする。【選択図】      図１
2016079750.tif 000002
【特許請求の範囲】
【請求項１】
障子と、上部レールと、下部レールとを備えており、
上部レールと下部レールのレール溝が対向する位置に、上部ストッパーと下部ストッパーを取り付け、少なくとも障子の下部ストッパーが当接する箇所に、下部ストッパー受けを設けることを特徴とする引戸の戸当たり構造。
【請求項２】
下部ストッパー受けは、レール溝の窪みにあわせて障子下端から下方に突出していることを特徴とする請求項１記載の引戸の戸当たり構造。
【請求項３】
下部ストッパーは、下部ストッパー部材と下部固定具とを有しており、下部ストッパー部材は、下部レールとの当接箇所がレール溝とほぼ一致する形状をなしており、下部固定具は、下部ストッパー部材を挿通して下部レールに固定するものであり、下部レールは、下部固定具の先端を係止する被係止部がレール溝に設けてあることを特徴とする請求項１又は２記載の引戸の戸当たり構造。  
【発明の詳細な説明】
【技術分野】
【０００１】
本発明は、おもに室内建具における引戸の戸当たり構造に関するものである。
【背景技術】
【０００２】
室内の部屋間を障子の開閉により間仕切りする引戸があった。また、引戸には、障子の枚数や納まりによって、引違い戸や片引き戸などがあり、多様である。
【先行技術文献】
【特許文献】
【０００３】
【特許文献１】特開平１１−２８０３４５号公報
【発明の概要】
【発明が解決しようとする課題】
【０００４】
上記のような引戸には、障子を引いたときに、障子を開口の所定の位置で止めるストッパーを上部レールに設けてある。しかしながら、障子を不意に強い力で開閉したときには、ストッパーに当たる障子の上端部を支点として、障子の下部に慣性が働き、これにより、障子の戸車が下部レールから外れることがあった。さらに、高さ寸法のある引戸では、開閉時に生じる軽い衝撃でも障子が外れるケースがある。
本発明は、上記課題を鑑みてなされたものであり、障子の開閉の際、障子を所定の位置で外れることなく確実に止めることのできる引戸の戸当たり構造を提供することにある。
【課題を解決するための手段】
【０００５】
本発明のうち請求項１記載の発明は、障子と、上部レールと、下部レールとを備えており、上部レールと下部レールのレール溝が対向する位置に、上部ストッパーと下部ストッパーを取り付け、少なくとも障子の下部ストッパーが当接する箇所に、下部ストッパー受けを設けることを特徴とする。
【０００６】
本発明のうち請求項２記載の発明は、下部ストッパー受けは、レール溝の窪みにあわせて障子下端から下方に突出していることを特徴とする。
【０００７】
本発明のうち請求項３記載の発明は、下部ストッパーは、下部ストッパー部材と下部固定具とを有しており、下部ストッパー部材は、下部レールとの当接箇所がレール溝とほぼ一致する形状をなしており、下部固定具は、下部ストッパー部材を挿通して下部レールに固定するものであり、下部レールは、下部固定具の先端を係止する被係止部がレール溝に設けてあることを特徴とする
【発明の効果】
【０００８】
本発明のうち請求項１記載の発明によれば、障子を開閉したときに、障子の上端と下端に取り付けてあるストッパー受けが、上部レールと下部レールの上下に対向する位置に取り付けたストッパーにほぼ同時当たる。これにより、開閉した障子が上下のストッパーに当たったときに、各々のストッパーから受ける衝撃が縦框の上下に分散するので、障子を強く開閉したときや、障子の高さ寸法のある引戸であっても、障子が上下のレールから外れることがなく、障子を安定して開閉させることができる。
【０００９】
本発明のうち請求項２記載の発明によれば、下部ストッパー受けの下端部がレール溝の窪みにあわせて下方に突出している。これにより、障子の建て付けのときに、戸車を調整して障子の下端縁と下部レールとの間隔が上下に拡がっても、下部ストッパー受けがレール溝の窪みにあわせて下方に突出する分、当接範囲が上下に長くなり、下部ストッパーとの当接面が確保される。このことから、下部ストッパーが下端に突出することにより、下部ストッパーの下部レールからの上方への突出を可能な限り少なくすることができるので、室内開口がバリアフリーの状態を確保できる。
【００１０】
本発明のうち請求項３記載の発明によれば、下部固定具で下部ストッパー部材を固定したときに、下部固定具の先端がレール溝の被係止部を係止して引き寄せることで、下部ストッパー部材を強固に固定できる。さらに、下部ストッパー部材の下部レールとの当接箇所がレール溝と緊密に当接するので、下部固定具で固定したときに、下部ストッパー部材と下部レールとの固定状態が安定し、障子の開閉時の衝撃に抗する構造となる。さらに、下部固定具と下部レールとの係止状態を解除すれば、下部ストッパーをレール溝の長手方向の任意の位置に移動させることができるとともに、その位置でふたたび下部固定具をレール溝に係止すれば、下部ストッパー部材の取付位置を調整することが可能となる。
【図面の簡単な説明】
【００１１】
【図１】本実施による引戸の戸当たり構造を示すものであり、（ａ）は、（ｂ）中Ｂの拡大斜視図であり、（ｂ）は、引戸の正面図である。
【図２】（ａ）は、図１中Ｃ−Ｃ線縦断面図であり、（ｂ）は、図１中Ｄ−Ｄ線縦断面図である。
【図３】上枠と上部レールの構造を示す（ａ）は、図１（ｂ）中を拡大して上部ストッパーの取付手順を示す斜視図であり、（ｂ）は、障子の開閉時に上部ストッパーが係止具を受けるときの作動状態を示す正面図である。
【図４】下枠と下部レールの構造を示す（ａ）は、斜視図であり、（ｂ）は、縦断面図である。
【図５】障子の構造を示す（ａ）は全体の正面図であり、（ｂ）は、（ａ）中Ｅを拡大した下框と下部ストッパー受けの取付構造を示す正面図であり、（ｃ）は、（ｂ）を横断面した図である。
【図６】（ａ）（ｂ）は、障子を開閉したときの下部ストッパーの下部ストッパー受けの状態を拡大して示す正面図である。
【図７】障子を枠に建て付けたときの下部ストッパー部材と下部ストッパーの状態を示す（ａ）は、建て付け調整時に障子下框を下げたときの正面図であり、（ｂ）は、障子下框を上げたときの側面図であり、（ｃ）は、（ａ）の側面図であり、（ｄ）は、（ｂ）の側面図である。
【図８】（ａ）（ｂ）（ｃ）は、本発明の引戸の戸当たり構造の下部ストッパーの他の実施形態を示す縦断面図である。
【発明を実施するための形態】
【００１２】
以下に、図面に基づいて本発明による引戸の戸当たり構造の実施形態について説明する。
本実施による戸当たり構造を引戸は、図１（ａ）（ｂ）のように、障子１と、上枠２と下枠３と縦枠４，４と、上部レール５と、下部レール６とからなっている。また、本実施による引戸は、床面Ｇから天井Ｒまで開口する室内開口に障子１を納めるものであり、上枠２と下枠３は、床面Ｇと天井Ｒとほぼ面一に配置されている。さらに、上部レール５と下部レール６は、図２（ａ）（ｂ）のように、上枠２と下枠３の各々に設けてある凹部７に嵌合され、ネジ等の固定具で固定してある。さらに、上部レール５のレール溝５ａに、障子１の上端から突出する係止具９を係止し、また、下部レール６のレール溝６ａに障子１の戸車１０を載置することにより、障子１が上部レール５と下部レール６の間を自在に摺動する。
【００１３】
上部レール５は、図３（ａ）のように、上向きほぼコ字状に窪んだレール溝５ａを上部レール５のレール長手方向に連続して有している。また、上部レール５のレール溝５ａは、溝開口が他部よりも狭まっており、レール溝５ａを摺動する障子１の係止具９が外れない構造となっている。さらに、上部レール５のレール長手方向の任意の位置には、上部ストッパー１１が取り付けてある。この上部ストッパー１１は、上部レール５のレール長手方向の任意の位置に固定することができ、レール溝５ａを塞ぐ上部ストッパー部材１１ａと、上部ストッパー部材１１ａを上下に貫通してレール溝５ａの溝開口の内周側に係止するネジ式の上部固定具１１ｂとから構成されている。また、上部ストッパー１１は、上部固定具１１ｂをネジ式に回すことにより、上部固定具１１ｂの先部が上部レール５のレール溝５ａの狭まった溝開口の内周部に係止して、上部固定具１１ｂと上部レール５を引き寄せることで、上部レール５のレール溝５ａのレール長手方向の任意の位置に位置決めできる。さらに、上部ストッパー部材１１ａの障子１と当接する側には、図３（ｂ）のように、ほぼＵ字状に切り欠かれたキャッチ部１２を有しており、後述する障子１の係止具９をキャッチ部１２に呼び込んで嵌合するものである。
【００１４】
下部レール６は、図４（ａ）のように、レール長手方向に連続する断面ほぼＹ字状をなすレール溝６ａを有している。さらに、上記のレール溝６ａのほぼ中央には、レール溝６ａに沿って連続する保持溝（窪み）１３が設けてあり、保持溝１３は、レール溝６ａよりも溝が深く形成してある。
【００１５】
下部ストッパー１６は、図１（ａ）と図４（ａ）（ｂ）のように、下部ストッパー部材１６ａと、下部固定具１６ｂとから構成されている。下部ストッパー部材１６ａは、全体がブロック状をなしており、下部レール６がレール溝６ａよりも上側に位置する部位は、障子１の戸車１０が乗り上げない高さを有するように設定されている。また、下部ストッパー１６の下部両側の外周部には、各々に下方に向かって次第に狭まるテーパ１７，１７が設けてあり、このテーパ１７，１７が下部レール６のレール溝６ａのＹ字に入り込む状態で安定設置される。さらに、下部ストッパー部材１６ａには、下部レール６のレール長手方向に間隔をあけた複数箇所に上下に貫通した挿通孔１８が設けてある。また、下部ストッパー１６の障子１と当接する側の端部は、ほぼ垂直に切り立った被当接面２１ａを有している。上記のように下部ストッパー１６を下部レール６に取り付けるときは、下部ストッパー部材１６ａを下部レール６のレール長手方向の任意の位置に載置し、さらに、挿通孔１８に下部固定具１６ｂを挿通してネジ式に捻じ込んでいくことにより、下部固定具１６ｂの捻じ込まれた先端部が保持溝１３の溝内周部（被係止部）２８に係止する。これにより、下部レール６のレール溝６ａの障子１進行方向を塞ぐかたちで、下部ストッパー１６が離脱不能に固定される。
【００１６】
障子１は、図１（ａ）と、図５（ａ）のように、上框１ａと下框１ｂと左右の縦框１ｃ，１ｃで四周を矩形に枠組みしたものであり、各框１ａ，１ｂ，１ｃの内周側には、パネル１９やガラス、桟等が配置される。また、上框１ａの上端には、係止具９が取り付けてある。係止具９は、その上部が膨大状に張り出しており、係止具９の膨大状をなす部分が上部レール５のレール溝５ａに入り込むとともに、レール溝５ａの内周側に係止して障子１が上部レール５から抜け出さない構造となっている。縦框１ｃの下端には、下部ストッパー受け２０が取り付けてある。下部ストッパー受け２０は、縦枠１ｃの下端を塞ぎ、さらに、縦框１ｃの下端及び下框１ｂの下端の一部に跨る範囲で下方に突出している。また、下部ストッパー受け２０の上部には、図５（ｂ）（ｃ）のように、縦框１ｃの中空部Ｓに挿し込む挿込部２５を有している。さらに、縦框１ｃの下端に挿し込まれた下部ストッパー受け２０は、縦框１ｃの中空部Ｓにあるタッピングホール２６を利用して下方から捻じ込んだ固定ネジ２７等で固定される。また、下部ストッパー受け２０の下端部の形状は、ほぼＹ字状をなすものである。具体的に、下部レール６のレール溝６ａ（断面ほぼＹ字状）とほぼ一致する傾斜部２０ａを有するとともに、両側の傾斜部２０ａの間には、下方に突出して下部レール６の保持溝１３に入り込む障子下端突出部８を有している。さらに、下部ストッパー受け２０の下部ストッパー１６と当接する側には、ほぼ垂直に切り立った当接面２１ｂを有している。
【００１７】
このように形成すると、図６（ａ）（ｂ）のように、障子１を開閉したときに、下部レール６のレール溝６ａに沿って摺動する障子１の下部ストッパー受け２０の当接面２１ｂが下部ストッパー１６の被当接面２１ａに当接する。このときに、下部ストッパー受け２０の当接面２１ｂが下部ストッパー１６の被当接面２１ａに当接するので、開閉した引戸１が当たる衝撃を被当接面２１ａと当接面２１ｂが互いの垂直面同士で受けることになるので、衝撃の反力が分散せず、開閉中に障子１が下部レール６のレール溝６ａから外れることがない。したがって、本実施形態のような長尺な高さ寸法を有する特殊な障子１であっても、障子１の開閉動作を安定させることができる。さらに、図７（ａ）（ｃ）のように、下部ストッパー受け２０の障子下端突出部８が下部レール６のレール溝６ａの保持溝１３への入り込みを可能な形状にしたことにより、下記のような作用、効果を奏することになる。障子１の建て付け時の調整作業で、図７（ｂ）（ｄ）のように、障子１の下端縁と下部レール６との隙間が拡がった場合でも、障子１を開閉したときに、障子下端突出部８に設けてある下部ストッパー受け２０の当接面２１ｂが下部ストッパー１６の被当接面２１ａに当接する。これにより、障子１の建て付けの状態に関わらず、下部レール６からの下部ストッパー１６の高さ寸法を低くしても（本実施では約３〜４ｍｍにしてある）、障子下端突出部８の上下の形成範囲を長くすることで被当接面２１ａの当接範囲を拡げられるので、下部ストッパー受け２０の当接面２１ｂに当接させることができる。したがって、下部ストッパー１６の床面Ｇからの高さ寸法をできるだけ小さくして、バリアフリーの基準に対応させることが可能となる。また、下部ストッパー受け２０をレール溝６ａとほぼ一致する形状とし、さらに、障子下端突出部８を保持溝１３に入り込む構造とすることにより、下部ストッパー受け２０の障子下端突出部８が下部レール６に沿って障子１を安定して摺動させるガイドとしての役割も果たす。
【００１８】
本発明の引戸の戸当たり構造は、下部ストッパー１６を上記の実施形態に限定するものではない。図８（ａ）のように、下部ストッパー部材１６ａに挿通孔１８を設け、下部レール６の保持溝１３にナット２２を配置したものである。上記の下部ストッパー部材１６ａの挿通孔にネジ２３（下部固定具）を通すとともに、ネジ２３でナット（下部固定具）２２を締め込むことで、ナット２２を引き寄せて下部ストッパー部材１６ａを下部レール６の保持溝１３の溝内周部に係止する。これにより、下部ストッパー１６を下部レール６のレール溝６ａの任意の位置に固定できる。さらに、上記のナット２２が外れない程度にネジ２３を緩めると、下部ストッパー１６の下部レール６との係止状態が解除されるので、そのまま下部レール６のレール溝６ａに沿って任意の位置に移動させれば、下部ストッパー１６を取り付けた後の微調整もできる。また、図８（ｂ）のように、下部ストッパー部材１６ａを下部レール６の任意の位置に配置し、上記の下部ストッパー部材１６ａの上端部に木ビス（下部固定具）２４や釘などを打ち込んで床材まで到達させることで、下部ストッパー部材１６ａを下枠レール６のレール溝６ａに固定することもできる。また、図８（ｃ）のように、下部レール６は、外周部に鍔部１４を有しており、さらに、鍔部１４の下部には段状に連続する抜け止め部１５を有するものを使用することができる。このように形成すると、下部レール６を下枠３に取り付けたときに、鍔部１４が下枠３に係止して、それ以上の下部レール６の落ち込みが防がれる。さらに、抜け止め部１５が下枠３に食い込み、下部レール６と下枠３との固定状態を強固にできる。
【００１９】
本発明の引戸の戸当たり構造は、上記実施形態では、下部ストッパー受け２０の下端の形状が障子下端突出部８を有することでほぼＹ字状に形成してあるが、下部ストッパー受け２０の下端部がレール溝６ａの窪み１３と対応する形状をなすものや、あるいは、レール溝６ａよりも下方に延出しているものであればよい。これは、障子１の建て付け調整のときに、障子１の下端とレール溝６ａとの間の間隔が拡がっても、下部ストッパー受け２０の一部が下部ストッパー１６に当接するものであれば、障子１の開閉時の戸当たり手段として機能を果たすためである。さらに、下部ストッパー受け２０の下端をレール溝６ａよりも下方に位置させる窪み１３については、上記実施形態では保持溝１３のような溝状としているが、孔や切欠等であってもよい。また、下部固定具１６ｂは、下部ストッパー部材１６を下部レール６のレール溝６ａに固定できるものであれば、上記実施形態のようにネジやビス等の固定手段に限定するものではない。また、上部ストッパー１１は、下部レール６のレール長手方向の任意の位置に固定した下部ストッパー１６と上下に対向する位置に固定できるものであればよい。さらに、上部ストッパー１１は、固定した任意の位置で障子１の摺動を止めるものであれば、その形状や大きさを限定するものではない。
【符号の説明】
【００２０】
１  障子
１ａ  上框
１ｂ  下框
１ｃ  縦框
２  上枠
３  下枠
４  縦枠
５  上部レール
５ａ，６ａ  レール溝
６  下部レール
７  凹部
８  障子下端突出部
９  係止具
１０  戸車
１１  上部ストッパー
１１ａ  上部ストッパー部材
１１ｂ  上部固定具
１２  キャッチ部
１３  保持溝（窪み）
１４  鍔部
１５  抜け止め部
１６  下部ストッパー
１６ａ  下部ストッパー部材
１６ｂ  下部固定具
１７  テーパ
１８  挿通孔
１９  パネル
２０  下部ストッパー受け
２０ａ  傾斜部
２１ａ  被当接面
２１ｂ  当接面
２２  ナット（下部固定具）
２３  ネジ（下部固定具）
２４  木ビス（下部固定具）
２５  挿込部
２６  タッピングホール
２７  固定ネジ
２８  溝内周部（被係止部）
Ｇ  床面
Ｒ  天井
Ｓ  中空部
【図１】
2016079750.tif 000003
【図２】
2016079750.tif 000004
【図３】
2016079750.tif 000005
【図４】
2016079750.tif 000006
【図５】
2016079750.tif 000007
【図６】
2016079750.tif 000008
【図７】
2016079750.tif 000009
【図８】
2016079750.tif 000010